(57)【要約】【課題】  設備情報の共通化、集約化を行えるとともに、設備情報の追加や変更に伴う設備情報管理者の負担を軽減するようにした設備情報管理システムを提供する。【解決手段】  各設備形式に対応した仕様項目が登録された設備仕様項目情報ファイル２１、各仕様項目に対応した実際の仕様名称が登録された設備仕様名称情報ファイル２２、および各設備形式に対応した設備の設置場所や各仕様項目ごとの具体的な仕様内容が登録された設備仕様内容情報ファイル２３を含み、これらの各ファイル２１〜２３の情報が設備形式および仕様項目をキーとして互いに関連付けられており、設備形式が指定された場合には各ファイル２１〜２３の情報を互いに関連付けてこれらの情報を一まとめにした設備帳票を作成する設備帳票作成手段３４，３５を備えている。【選択図】        図１
2006059213.tif 000002
【特許請求の範囲】
【請求項１】
各設備の種類を特定する各設備形式に対応した仕様項目が登録された設備仕様項目情報ファイルと、上記各仕様項目に対応した実際の仕様名称が登録された設備仕様名称情報ファイルと、上記各設備形式に対応した設備の設置場所や各仕様項目ごとの具体的な仕様内容が登録された設備仕様内容情報ファイルとを含み、これらの各ファイルの情報が上記設備形式および仕様項目をキーとして互いに関連付けられており、かつ、上記設備形式が指定された場合には上記各ファイルの情報を互いに関連付けてこれらの情報を一まとめにした設備帳票を作成する設備帳票作成手段を備えることを特徴とする設備情報管理システム。
【請求項２】
上記設備仕様名称情報ファイルには、各仕様項目に対応して仕様名称と共に文字／数字識別用の属性情報が付加して登録される一方、上記設備仕様内容情報ファイルには、各仕様項目ごとの仕様内容が上記属性に対応して区分けして登録されていることを特徴とする請求項１記載の設備情報管理システム。
【請求項３】
上記数値属性をもつ仕様項目に対応した仕様単位が登録された単位情報ファイルを備えることを特徴とする請求項２記載の設備情報管理システム。
【発明の詳細な説明】
【技術分野】
【０００１】
本発明は、各種設備の情報管理を行う設備情報管理システムに関する。
【背景技術】
【０００２】
一般に、プラントを円滑に運用する上では、プラントを構成する各種設備の仕様内容等を十分に把握して管理を行う必要がある。このため、従来より、各種設備の仕様内容等を示す情報（以下、設備情報という）をデータベース化して管理し、ある所望の設備情報を入手したい場合には、そのデータベースの内から所望の設備に関する設備情報を引き出してきて、例えば設備帳票の形式でモニタ画面に表示したり、用紙にプリントアウトするようにしている（例えば、特許文献１参照）。
【０００３】
ここで、設備情報をデータベース化して管理する場合、従来は、図９に示すように、ある設備を特定する各設備形式とこれに付随する設備の設置場所、ならびにその設備に関する各仕様項目ごとの仕様内容を含む一連の情報を一塊のグループとし、これらの各グループ単位で情報管理を行っている。例えば、設備がポンプの場合、ポンプの種類を特定するある一つの設備形式Ｐ１に対応して、その設置場所Ａおよび各仕様項目（置き型、電圧、電流、定格等）ごとの具体的な仕様内容（横置、１００Ｖ、２５０Ａ等）を含む一連の情報を１グループとし、このグループ単位で情報の登録や管理が行われる。
【０００４】
また、従来、帳票作成プログラムについても、設備情報の管理状態に合わせて、各設備形式Ｐ１，Ｐ２，…に付随した設置場所や各仕様項目ごとの仕様内容を示す一連の情報をそれぞれグループとして、各グループ単位で情報を取り扱うように設定されている。
【０００５】
したがって、各設備内容を把握するために各設備形式Ｐ１，Ｐ２，…を指定すると、制御装置は帳票作成プログラムに基づいて、設備情報を登録したデータベースから各設備形式Ｐ１，Ｐ２，…に付随した設置場所や仕様項目を含む情報をグループ単位で順次読み出すので、各設備形式Ｐ１，Ｐ２，…およびこれに付随した設置場所や仕様項目ごとの仕様内容が設備帳票として一覧表の形式でモニタに表示されたり用紙にプリントアウトされる。
【０００６】
【特許文献１】特開平１０−１７１５２８号公報
【発明の開示】
【発明が解決しようとする課題】
【０００７】
ところで、上記の設備情報は、各設備の種類を特定する各設備形式Ｐ１，Ｐ２に対応して設置場所や仕様項目、仕様内容が規定されているが、これらの設備情報は不変的なものではなく、しばしばその設備情報を変更したり追加したりすることが必要となる。すなわち、設備の故障や設備の性能改善等のために、設備が交換されたり配置替えされたり、設備が追加されたりするので、これに伴って設備情報も変更したり追加したりする必要が生じる。
【０００８】
一方、従来は、図９に示したように設備情報は設備形式Ｐ１，Ｐ２，…に付随した設置場所や各仕様項目ごとの仕様内容を示す一連の情報をそれぞれグループとし、各グループ単位で情報の登録や管理が行われている。これに併せて、帳票作成プログラムも、各設備形式Ｐ１，Ｐ２，…に付随した設置場所や仕様項目等を示す一連の情報をグループ単位で取り扱うように構成されている。
【０００９】
このため、設備情報の変更や追加を行う場合には、各設備形式Ｐ１，Ｐ２，…や設備仕様等を含む一連のデータをグループとして、グループ単位で一括して設備情報の修正を行わねばならない。例えば、設備形式Ｐ１のポンプを設置場所Ａだけでなく、設置場所Ｂにも新たに設置する必要が生じた場合、設備情報としては、図１０に示すように、設備形式Ｐ１のポンプについて、新たな設置場所Ｂの情報だけでなく、これに付随する各仕様項目（置き型、電圧、電流、定格等）ごとの具体的な仕様内容（横置、１００Ｖ、２５０Ａ等）の情報も新たにテーブルに追加する必要がある。
【００１０】
このように、設備形式Ｐ１，Ｐ２，…とその仕様項目等を含む一連の情報をグループ単位とした従来のデータ構造においては、設備管理対象が増加するのに伴ってデータベースに登録すべき情報量も膨大なものになる。すなわち、同じ内容の情報が重複し、設備情報を共有化して一元化を図ることが難しく、設備情報をデータベース化してファイル管理する際に情報量が徒に増大してしまう。しかも、個々に設備情報を修正する必要があるために修正ミスが生じ易かった。
【００１１】
また、従来は、前述のように帳票作成プログラムも、各設備形式Ｐ１，Ｐ２，…に付随した設置場所や仕様項目等を示す一連のデータをグループ単位で取り扱うように設定されているので、管理対象となる設備情報の追加や変更があると、これに伴って帳票作成プログラム自体を修正する必要が生じるなど、設備情報の追加や変更に伴って帳票作成プログラムの修正作業に過大な労力と時間を要し、設備情報管理者の負担が大きかった。
【００１２】
本発明は、上記の課題を解決するためになされたもので、設備情報を共通化、集約化して一元管理できるようにするとともに、設備情報の追加や変更に伴う設備情報管理者の負担を軽減できるようにした設備情報管理システムを提供することを目的とする。
【課題を解決するための手段】
【００１３】
上記の目的を達成するために、本発明の設備情報管理システムにおいては、各設備の種類を特定する各設備形式に対応した仕様項目が登録された設備仕様項目情報ファイルと、上記各仕様項目に対応した実際の仕様名称が登録された設備仕様名称情報ファイルと、上記各設備形式に対応した設備の設置場所や各仕様項目ごとの具体的な仕様内容が登録された設備仕様内容情報ファイルとを備え、これらの各ファイルの情報が上記設備形式および仕様項目をキーとして互いに関連付けられており、上記設備形式が指定された場合には上記各ファイルの情報を互いに関連付けてこれらの情報を一まとめにした設備帳票を作成する設備帳票作成手段を備えることを特徴としている。
【発明の効果】
【００１４】
本発明に係る設備情報管理システムによれば、従来のように、設備形式や仕様項目等を含む一連の情報を一塊のグループとしたデータ構造を採用するのではなく、各設備形式に対応した仕様項目、各仕様項目に対応した設備仕様名称、各設備形式に対応した設置場所や仕様内容をそれぞれ個別にファイルに登録し、これらの各ファイルの情報を設備形式および仕様項目をキーとして互いに関連付けるようにしているので、従来に比べて設備情報を共通化、集約化して一元管理することができる。このため、設備情報の追加や変更があった場合でも、同じ内容の情報が重複することが少なくなり、データベースに登録すべき情報量を大幅に削減することができる。したがって、設備情報管理者の負担を大幅に軽減できるだけでなく、設備情報を登録する際の修正ミスなども起こりにくくなる。
【００１５】
しかも、設備帳票作成手段は、設備形式が指定された場合には上記の各ファイルの情報を互いに関連付けてこれらの情報を一まとめにした設備帳票を作成する。このため、設備情報の追加、変更等があっても設備帳票作成プログラム自体を大幅に変更する必要はなく、この点でも設備情報管理者の負担を軽減することができる。
【発明を実施するための最良の形態】
【００１６】
実施の形態１．
図１は本発明の実施の形態１における設備情報管理システムの全体構成を示すブロック図である。
【００１７】
この実施の形態１の設備情報管理システム１は、各種のプラントを構成する設備に関する設備情報を管理するためのもので、設備管理部門などに配置されたコンピュータ装置やワークステーション等の情報処理装置を使用して実現されるものである。
【００１８】
この場合の設備情報管理システム１のハードウェア構成としては、図１に示すように、ハードディスク等からなる情報記憶装置２、設備情報の管理制御を司る制御本体部３、キーボードやマウス等を備えた情報入力手段４、および表示器やプリンタ等を備えた情報出力手段５を含んで構成されている。そして、上記の情報記憶装置２には、設備仕様項目情報ファイル２１、設備仕様名称情報ファイル２２、および設備仕様内容情報ファイル２３が個別に確保されている。
【００１９】
上記の設備仕様項目情報ファイル２１には、図２に示すように、各設備の種類を特定する各設備形式に対応した仕様項目がテーブル形式で登録されている。例えば、設備がポンプの場合、各ポンプの種類を特定する設備形式Ｐ１，Ｐ２，…に対応した仕様項目Ｎ１〜Ｎ４がコード化されて登録されている。
【００２０】
また、設備仕様名称情報ファイル２２には、図３に示すように、コード化された各仕様項目に対応した実際の仕様名称がテーブル形式で登録されている。例えば、仕様項目Ｎ１については仕様名称として置き型という名称が、仕様項目Ｎ２についは電圧という名称が、仕様項目Ｎ３については電流という名称がそれぞれ登録されている。
【００２１】
設備仕様内容情報ファイル２３は、図４に示すように、設置場所ファイル２３ａと仕様内容ファイル２３ｂとからなる。そして、設置場所ファイル２３ａには、設備形式に対応した設置場所がテーブル形式で登録されており、また、仕様内容ファイル２３ｂには、各設備形式の各仕様項目に対応した具体的な仕様内容がテーブル形式で登録されている。例えば、設備がポンプの場合、設置場所ファイル２３ａには、各ポンプの種類を特定する設備形式Ｐ１，Ｐ２，…に対応した設置場所Ａ，Ｂ，…が登録され、また、仕様内容ファイル２３ｂには、各設備形式Ｐ１，Ｐ２，…と設置場所Ａ，Ｂ…に対応して各仕様項目Ｎ１〜Ｎ４ごとの具体的な仕様内容（置き型、電圧、電流、定格等の具体的な数値や文字）が登録されている。
【００２２】
そして、設備仕様項目情報ファイル２１と設備仕様名称情報ファイル２２とは、コード化された仕様項目Ｎ１，Ｎ２，…をキーとして互いに関連付けられ、設備仕様項目情報ファイル２１と設備仕様内容情報ファイル２３の設置場所ファイル２３ａおよび仕様内容ファイル２３ｂとは設備形式Ｐ１，Ｐ２，Ｍ１，…と設置場所Ａ，Ｂ…をキーとして互いに関連付けられている。
【００２３】
制御本体部３は、設備仕様項目情報ファイル２１に対する情報の書き込みおよび読み出しを行う設備仕様項目情報アクセス手段３１、設備仕様名称情報ファイル２２に対する情報の書き込みおよび読み出しを行う設備仕様名称情報アクセス手段３２、設備仕様内容情報ファイル２３に対する情報の書き込みおよび読み出しを行う設備仕様内容情報アクセス手段３３、上記の各アクセス手段３１〜３３を制御して設備情報の全体的な管理制御を行う管理制御手段３４、および管理制御手段３４で互いに関連付けられた一連の情報を設備帳票の形式に編集する設備帳票編集手段３５を備えている。そして、上記の管理制御手段３４および設備帳票編集手段３５が特許請求の範囲における設備帳票作成手段に対応している。
【００２４】
上記構成を備えた設備情報管理システム１において、いま、例えば設備形式Ｐ１のポンプを設置場所Ａだけでなく、設置場所Ｂにも新たに設置する必要が生じた場合には、情報入力手段４から設備形式Ｐ１のポンプの設置場所Ｂの情報を入力する。この情報は、管理制御手段３４に取り込まれるので、管理制御手段３４は、設備仕様内容情報アクセス手段３３を制御して、この設備形式Ｐ１のポンプに関する設置場所Ｂの情報を、設備仕様内容情報ファイル２３の内の設置場所ファイル２３ａに新たに追加する。
【００２５】
ここで、各ファイル２１，２２，２３には互いに分離して情報が登録されているが、各ファイル２１，２２，２３の情報は設備形式および仕様項目をキーとして互いに関連付けられているので、設備情報の追加や変更があっても、従来のように各設備形式Ｐ１，Ｐ２，…や設備仕様等を含む一連の情報の全てを追加、修正する必要はない。
【００２６】
すなわち、従来では、各設備形式の下に設置場所や仕様項目ごとの仕様内容が一塊としてグループ化されているので、例えば、設備形式Ｐ１のポンプに関して新たに設置場所Ｂの情報を追加する場合、既に図１０に示したように、設備形式Ｐ１のポンプについて、設置場所Ｂのデータだけでなく、これに付随する各仕様項目ごとの仕様内容のデータも新たにテーブルに追加する必要がある。これに対して、この実施の形態１では、設備形式Ｐ１のポンプに関して設置場所Ｂの情報を設置場所ファイル２３ａに新たに追加するだけでよく、設備仕様項目情報ファイル２１、設備仕様名称情報ファイル２２、仕様内容ファイル２３ｂの情報については何ら修正を行わなくても、互いの関連付けを行うことができる。
【００２７】
このように、この実施の形態１では、設備情報の追加や変更がある場合でも、同じ内容の情報が重複することが少なくなり、情報記憶手段２にデータベースとして登録すべき情報量を大幅に削減することができる。しかも、設備情報の修正が少なくて済むので、設備情報の管理の際の修正ミスを少なくすることができる。
【００２８】
次に、上記のように情報記憶手段２の各ファイル２１，２２，２３に登録されている情報を用いて、例えば、ポンプに関する設備帳票を作成する場合には、情報入力手段４からの操作により、ポンプの設備形式Ｐ１，Ｐ２，…を指定する。すると、制御本体部３の管理制御手段３４は、各アクセス手段３１，３２，３３を制御して、まず、設備仕様項目情報アクセス手段３１が図２に示す設備仕様項目情報ファイル２１を検索して、この設備形式Ｐ１，Ｐ２，…に対応するコード化された仕様項目を抽出する。次いで、設備仕様名称情報アクセス手段３２は、この仕様項目をキーとして、図３に示す設備仕様名称情報ファイル２２を検索して、これらの各仕様項目に対応した仕様名称を抽出する。例えば、一つの設備形式Ｐ１に関しては、仕様項目としてＮ１〜Ｎ４が抽出される。
【００２９】
引き続いて、設備仕様内容情報アクセス手段３３は、設備仕様をキーとして、図４（ａ）に示す設備仕様内容情報ファイル２３の設置場所ファイル２３ａを検索して設置場所を抽出する。また、設備仕様と設置場所Ａ，Ｂ…をキーとして、図４（ｂ）に示す仕様内容ファイル２３ｂを検索して各設備形式Ｐ１，Ｐ２，…に対応した各仕様項目Ｎ１〜Ｎ４ごとの具体的な仕様内容（置き型、電圧、電流、定格等の具体的な数値等の内容）を抽出する。
【００３０】
このように、設備形式を指定することにより、各情報アクセス手段３１，３２，３３によって各ファイル２１，２２，２３の情報が互いに関連付けられて、設備形式に対応した設置場所、仕様項目、仕様内容が抽出される。したがって、管理制御手段３４は、このようにして関連付けられた一連のデータを設備帳票編集手段３５に送出する。設備帳票編集手段３５は、管理制御手段３４から与えられた一連の情報を設備帳票の形式に編集し、その編集後の情報を情報出力手段５に出力する。
【００３１】
これにより、例えば設備がポンプの場合には、図５（ａ）に示すように、各ポンプの種類を特定する各設備形式Ｐ１，Ｐ２，…に対応して、その設置場所Ａ，Ｂ，…、ならびに，設備形式Ｐ１，Ｐ２，…に対応する各仕様項目Ｎ１，Ｎ２，…ごとの仕様内容を含む一連のデータが設備帳票として一括してモニタに表示されたり、プリンタにプリントアウトされる。同様に、例えば設備が設備監視用のモニタの場合には、図５（ｂ）に示すように、設備形式Ｍ１，Ｍ２，…に対応して、その設置場所Ａ，Ｂ，…ならびに各設備形式Ｍ１，Ｍ２，…に対応する各仕様項目Ｎ６，Ｎ７，…ごとの仕様内容を含む一連のデータが設備帳票として一括してモニタに表示されたり、プリンタにプリントアウトされる。なお、その他の種類の設備についての設備帳票を作成する場合も同様である。
【００３２】
しかも、このような設備帳票を作成する場合、上記の各ファイル２１，２２，２３の情報は予め互いに関連付けられているので、これらの一連の情報を一まとめにした設備帳票を作成する際に設備情報の追加、変更等があっても、設備帳票作成プログラム自体を大幅に変更する必要はなく、設備情報管理者の負担を軽減することができる。
【００３３】
実施の形態２．
上記の実施の形態１では、設備仕様名称情報ファイル２２には、図３に示したようにコード化された各仕様項目に対応した仕様名称を登録しているが、この実施の形態２では、図６に示すように、設備仕様名称情報ファイル２２には各仕様項目に対応して実際の仕様名称が登録されるとともに、各仕様項目に対応して文字／数字識別用の属性情報が登録されている。例えば、置き型や表示色などの文字で表現されるべき仕様名称に対応する仕様項目Ｎ１，Ｎ７，…の場合には属性情報としてＦ０のコードが、電圧、電流等などの数値で表現されるべき仕様名称に対応する仕様項目Ｎ２，Ｎ３，…の場合には属性情報としてＦ１のコードがそれぞれ割り当てられている。
【００３４】
さらに、この実施の形態２において、設備仕様内容情報ファイル２３の仕様内容ファイル２３ｂには、図７に示すように、各仕様項目Ｎ１，Ｎ２，…ごとの仕様内容についても上記の属性Ｆ０，Ｆ１をもつように、各属性Ｆ０，Ｆ１に対応して区分けして登録されている。
【００３５】
このように、管理対象となる設備情報として、設備仕様名称情報ファイル２２に各仕様項目に対応して文字／数字識別用の属性情報Ｆ０，Ｆ１を付加し、これに対応して仕様内容ファイル２３ｂにも各仕様内容ごとに属性Ｆ０，Ｆ１を持たせることにより、設備情報を管理制御するプログラムや設備帳票を作成する帳票作成プログラムを構築する場合において、文字と数字が混在する場合でも両者を区別して容易に取り扱うことができるようになる。このため、設備情報管理者のプログラム作成時の負担を軽減することができる。
【００３６】
その他の構成および作用効果は、実施の形態１の場合と同様であるから、ここでは詳しい説明を省略する。
【００３７】
実施の形態３．
上記の実施の形態２では、管理対象となる設備情報として、設備仕様名称情報ファイル２２に各仕様項目に対応して文字／数字識別用の属性情報Ｆ０，Ｆ１を付加し、これに対応して仕様内容ファイル２３ｂにも仕様内容に対応して属性Ｆ０，Ｆ１を持たせるようにしているが、さらに、この実施の形態３では、図８に示すように、数値属性（この例ではＦ１）をもつ仕様項目に対応した仕様単位が登録された単位情報ファイル２４を個別に設けている。例えば、仕様項目Ｎ２についての仕様名称は電圧なので、その単位としてボルト（Ｖ）が登録され、仕様項目Ｎ３についての仕様名称は電流なので、その単位としてアンペア（Ａ）が登録され、仕様項目Ｎ４についての仕様名称は定格なので、その単位としてキロワット（ＫＷ）が登録されている。
【００３８】
このように、管理対象となる設備情報として、単位情報ファイル２４に数値属性をもつ仕様項目に対応した仕様単位を予め単位情報ファイル２４に登録しておくことにより、設備情報を管理制御するプログラムや設備帳票を作成する帳票作成プログラムを構築する場合において、文字と数字が混在する場合でも両者を区別して容易に取り扱うことができだけでなく、数値属性をもつ仕様項目に対しては仕様単位を容易に割り当てることができるため、プログラムを一層容易に構築することが可能となり、設備情報管理者の負担を軽減することができる。さらに、単位項目で設備情報を管理することも可能となる。
【００３９】
その他の構成および作用効果は、実施の形態２の場合と同様であるから、ここでは詳しい説明を省略する。
【図面の簡単な説明】
【００４０】
【図１】本発明の実施の形態１における設備情報管理システムの全体構成を示すブロック図である。
【図２】本発明の実施の形態１において、設備仕様項目情報ファイルに登録されている設備仕様項目情報の一例を示す説明図である。
【図３】本発明の実施の形態１において、設備仕様名称情報ファイルに登録されている設備仕様名称情報の一例を示す説明図である。
【図４】本発明の実施の形態１において、設備仕様内容情報ファイルに登録されている設備仕様内容情報の一例を示す説明図である。
【図５】各ファイルに登録されている設備情報に基づいて作成される設備帳票の一例を示す説明図である。
【図６】本発明の実施の形態２において、設備仕様名称情報ファイルに登録されている設備仕様名称情報とその属性情報の一例を示す説明図である。
【図７】本発明の実施の形態２において、設備仕様内容情報ファイルに登録されている設備仕様内容情報とその属性情報の一例を示す説明図である。
【図８】本発明の実施の形態３において、単位情報ファイルに登録されている仕様項目ごとの単位情報の一例を示す説明図である。
【図９】従来技術において、設備形式に付随して設備場所や仕様項目等の一連の設備情報がグループ単位で登録されている状態の一例を示す説明図である。
【図１０】従来技術において、設備情報を新たに追加する場合の一例を示す説明図である。
【符号の説明】
【００４１】
１  設備情報管理システム、２  情報記憶手段、２１  設備仕様項目情報ファイル、
２２  設備仕様名称情報ファイル、２３  設備仕様内容情報ファイル、
２３ａ  設置場所ファイル、２３ｂ  仕様内容ファイル、２４  単位情報ファイル、
３  制御本体部、３１  設備仕様項目情報アクセス手段、
３２  設備仕様名称情報アクセス手段、３３  設備仕様内容情報アクセス手段、
３４  管理制御手段、３５  設備帳票編集手段、４  情報入力手段、
５  情報出力手段。
【図１】
2006059213.tif 000003
【図２】
2006059213.tif 000004
【図３】
2006059213.tif 000005
【図４】
2006059213.tif 000006
【図５】
2006059213.tif 000007
【図６】
2006059213.tif 000008
【図７】
2006059213.tif 000009
【図８】
2006059213.tif 000010
【図９】
2006059213.tif 000011
【図１０】
2006059213.tif 000012